(57)【要約】【課題】  バッテリの寿命検知をバッテリの電圧でチェックしているだけであり、電圧だけのチェックではバッテリ容量の判断が難しい。【解決手段】  装置内に電力を供給する電源装置と、電源装置に替わって装置内に電力を供給するバッテリと、バッテリの稼動時間を判定する判定情報を記憶する記憶部と、それらを制御する制御部とを備え、判定情報は、電源装置からバッテリに切り替った際、バッテリの電圧値が所定電圧値まで到達する場合または切り替えから所定時間経過した場合、切り替えから所定電圧値到達までの到達時間または所定時間と対応付けたバッテリの稼動時間を記録し、制御部は、電源装置からバッテリに切り替った際に、到達時間または所定時間を測定し、判定情報と比較し、前記バッテリの稼動時間を取得する。【選択図】  図１
2014164365.tif 000002
【特許請求の範囲】
【請求項１】
装置内に電力を供給する電源装置と、
前記電源装置に替わって装置内に電力を供給するバッテリと、
前記バッテリの稼動時間を判定する判定情報を記憶する記憶部と、
それらを制御する制御部とを備え、
前記判定情報は、前記電源装置から前記バッテリに切り替った際、前記バッテリの電圧値が所定電圧値まで到達する場合または前記切り替えから所定時間経過した場合、切り替えから前記所定電圧値到達までの到達時間または前記所定時間と対応付けた前記バッテリの稼動時間を記録し、
前記制御部は、前記電源装置から前記バッテリに切り替った際に、前記到達時間または前記所定時間を測定し、前記判定情報と比較し、前記バッテリの稼動時間を取得することを特徴とする現金自動取扱装置。
【請求項２】
請求項１に記載の現金自動取扱装置であって、
係員が操作入力を行う係員操作部を備え、
前記判定情報との比較により前記バッテリの稼働時間を取得した際、制御部は取得した前記バッテリの稼動時間を前記係員操作部に表示させることを特徴とする現金自動取扱装置。
【請求項３】
請求項１または２に記載の現金自動取扱装置であって、
取引をする際、利用者から複数の媒体を取り扱う複数の媒体取扱部を備え、
前記バッテリの稼動時間は、稼動させる前記複数の媒体取扱部の組合せにより設定されることを特徴とする現金自動取扱装置。
【請求項４】
請求項１から３のいずれか１つに記載の現金自動取扱装置であって、
前記利用者を検知するセンサをさらに備え、
前記電源装置から前記バッテリに切り替える切り替え動作は、前記センサが反応していない場合に行うことを特徴とする現金自動取扱装置。
【請求項５】
請求項１から４のいずれか１つに記載の現金自動取扱装置であって、
前記電源装置から前記バッテリに切り替える切り替え動作は、当該装置のシャットダウンの際に行うことを特徴とする現金自動取扱装置。
【請求項６】
請求項１から５のいずれか１つに記載の現金自動取扱装置であって、
前記利用者に操作案内を表示し、前記利用者からの入力を受け付けする操作部を備え、
前記操作部は、前記到達時間または前記所定時間の測定を中断する中断入力の案内を表示し、利用者からの中断入力を受け付けると、前記到達時間または前記所定時間の測定を中断し、取引が可能な状態になることを特徴とする現金自動取扱装置。
【発明の詳細な説明】
【技術分野】
【０００１】
本発明は現金自動取扱装置に関する。
【背景技術】
【０００２】
現金自動取扱装置(以下、ＡＴＭ（Ａｕｔｏｍａｔｅｄ  Ｔｅｌｌｅｒ  Ｍａｃｈｉｎｅ）とする)では、停電などで設備側の電源が停止した場合、処理途中は処理の継続のため、あるいはＯＳシャットダウンまでの時間を稼ぐため（ハードディスク保護のため）にバッテリ駆動に切り替えて処理を継続させている。
【０００３】
バッテリが正常に動作するか否かを判断するために従来の検知方式では、バッテリ電圧を測定する方式となっていた。この方式ではバッテリ残容量を正確に判断することが難しく、正常と判断していても実際バッテリ駆動に切り替えた時に、バッテリ容量がなくすぐに電源断となってしまい、取引途中の場合は、処理が途中で停止し、エンドユーザーに対し現金やカード、通帳などの媒体を返却できないケースが発生する。また、取引中ではない場合においても、ＯＳシャットダウンまでの時間を稼げないため、ハードディスクの破損を引き起こす要因となっていた。
【０００４】
本発明の背景技術であるバッテリの寿命(バッテリの稼動時間)を検出する手段として、特開平７−２４５８８２号公報がある（特許文献１）。この公開公報には、「該バッテリに接続される所定の負荷と、該バッテリを該装置および該主電源装置から切り離し、且つ前記負荷に接続する負荷接続部と、バッテリ電圧を測定する電圧検出部と、該負荷接続部を制御して該バッテリを該負荷に接続するとともに、接続時点および一定時間経過時点におけるバッテリ電圧をそれぞれ該電圧検出部により測定し、その２時点間のバッテリ電圧差が所定値以上の場合はバッテリ寿命と判定するように構成する」と記載されている。
【先行技術文献】
【特許文献】
【０００５】
【特許文献１】特開平７−２４５８８２号公報
【発明の概要】
【発明が解決しようとする課題】
【０００６】
特許文献１に記載されているように従来技術ではバッテリの寿命検知をバッテリの電圧でチェックしているだけであり、電圧だけのチェックではバッテリ容量の判断が難しい。このため、規定電圧をクリアしていてもバッテリ容量の少ないものが多くあるため、実際にはバッテリの交換は規定電圧をクリアしていても、規定した期間が経過したら一律交換していた。よって、本当はまだバッテリ容量があるにも関わらず、廃棄処分されていたものがあった。
【０００７】
また、規定電圧及び規定期間をクリアしているものでも、設置環境(高温、高湿)によりバッテリ容量の低下が激しく、処理の継続させる時間を満たせず、直ぐに電圧ドロップして使い物にならないという問題もあった。
【０００８】
本発明の目的は、バッテリの寿命（稼働時間）をバッテリの電圧以外によって判定できることで、バッテリを適切に交換することが出来るＡＴＭを提供する。
【課題を解決するための手段】
【０００９】
上記課題を解決する為に、本発明は装置内に電力を供給する電源装置と、電源装置に替わって装置内に電力を供給するバッテリと、バッテリの稼動時間を判定する判定情報を記憶する記憶部と、それらを制御する制御部とを備え、判定情報は、電源装置からバッテリに切り替った際、バッテリの電圧値が所定電圧値まで到達する場合または切り替えから所定時間経過した場合、切り替えから所定電圧値到達までの到達時間または所定時間と対応付けたバッテリの稼動時間を記録し、制御部は、電源装置からバッテリに切り替った際に、到達時間または所定時間を測定し、判定情報と比較し、前記バッテリの稼動時間を取得する。
【発明の効果】
【００１０】
本発明によりバッテリの寿命（バッテリの稼動時間）を正確に判定することができることで、バッテリ交換を適切な時期に実施することができる。それにより例えば、ハードディスクの故障等他の故障の予防につながる。なお、上記した以外の課題、構成及び効果は、以下の実施形態の説明により明らかにされる。
【図面の簡単な説明】
【００１１】
【図１】現金自動取引装置の装置構成図の例である。
【図２】現金自動取引装置のブロック図の例である。
【図３】バッテリ検出のタイムチャートの例である。
【図４】バッテリ寿命パターンパラメータのテーブルの例である。
【図５】バッテリ寿命検出フローチャートの例である。
【図６】現金自動取引装置の取扱イメージの例ある。
【図７】現金自動取引装置の画面イメージの例である。
【図８】バッテリ寿命検出フローチャートの例である。
【図９】バッテリ寿命検出フローチャートの例である。
【発明を実施するための形態】
【００１２】
以下図１から図９を参照して、本発明の実施形態を説明する。
Ａ：実施例１
先ず、図１は本実施形態に係るＡＴＭ１０１の装置構成図の例であり、図２はＡＴＭ１０１のブロック図の例である。図１および図２を用いて、本実施形態のＡＴＭ１０１の概略構造を説明する。
【００１３】
ＡＴＭ１０１は、金融機関，コンビニ等に設置され、利用者の操作によって現金の入金や出金、振込み等の取引を行う現金自動取扱装置である。また、ＡＴＭ１０１は図示しないネットワーク回線を介して利用者の情報を記憶したサーバー１０７とＡＴＭ１０１の動作を監視する監視システム１０８と接続する。ＡＴＭ１０１は、利用者の要求する種々の取引を自動的に実行する装置であり、通帳機構部２０１、カード／明細票機構部２０２、硬貨入出金機構部２０３、紙幣入出金機構２０４、操作部１０５、係員操作部１０６、近接センサ１０９、これら各部を制御する制御部１０４、各部に電源（電力）を供給する電源装置１０３、停電などで設備側の電源が停止した場合に電源（電力）を供給するバッテリ１０２等で構成される。なお、図示しないが制御部１０４は、ＣＰＵ、メモリ、ＨＤＤ等のハード構成と、制御プログラム等のソフト構成からなり、プログラムをメモリに読み込んでＣＰＵが実行することにより各処理、取引を制御している。また、各機構部２０１〜２０４を各種媒体を取り扱う媒体取扱部として総称することもできる。
【００１４】
次に各部位の詳細な説明を行う。操作部１０５は画面表示、キー入力検知機能を有し、ＡＴＭ１０１の利用者が取引を行う際、取引操作の誘導画面を表示したり、暗証番号など利用者の操作や指で押されたキー入力を受ける部分である。係員操作部１０６は、操作部１０５と同様に画面表示、キー入力検知機能を有し、係員（例えば銀行員など）が操作を行う際に、画面表示をしたり入力を受け付ける。なお、操作部１０５及び係員操作部１０６は入力部と表示部がそれぞれ別の装置から構成される形式であってもよい。
【００１５】
カード／明細票機構部２０５は、利用者のカードの挿入又は排出動作、カードの磁気ストライプ又はＩＣチップへのリード又はライト動作、カードエンボス部分のイメージの読み取り機能などを有する。また取引した内容を図示しない印字部により明細票に印字し、装置内から排出する機構を有する。
【００１６】
通帳機構部２０４は利用者の通帳の挿入／排出動作、磁気ストライプのリード／ライト動作、通帳への印字部による印字機能などを有する。紙幣入出金機構２０７と硬貨入出金機構２０６は、現金（紙幣または硬貨）の入金や出金機能、現金の鑑別や搬送、収納機能を有する。
【００１７】
バッテリ１０２は通常動作の時には使用しておらず、停電により設備側（電源装置１０３）からの給電が停止した時に、取引途中であればその取引が終了するまで、またＯＳがシャットダウンするまでの時間を稼ぐのに使用する。
【００１８】
近接センサ１０９は、ＡＴＭ１０１に接近する利用者を検知する機能を有する。例えば、ＡＴＭ１０１が電力消費を抑えるために機能を制限した省電力モード（スリープモード）であった場合に近接センサ１０９の検知結果により機能の制限を解除するために用いられる。
【００１９】
次に本実施例のバッテリ寿命検出を実現させる為の方式について図３のバッテリ検知のタイムチャート３０１と図４の判定基準４０１を用いて説明をする。
【００２０】
初めに、図３に示すバッテリ検知のタイムチャート３０１について説明する。バッテリ検知のタイムチャート３０１は、ＡＴＭ１０１の電源装置１０３に発生するイベントを示すイベント３０２、ＡＴＭ１０１のシャットダウンのタイミングを示すシャットダウンチャート３０３、バッテリ１０２の電圧値を示すバッテリ電圧３０４から構成されている。なお、右矢印は時間の流れを示し、左から右への移動は時間の経過を示している。また、バッテリ電圧３０４の下軸はバッテリ１０２の電圧を示し、下に行くほどバッテリ１０２の電圧が低くなっていることを示す。
【００２１】
ＡＴＭ１０１において、バッテリ１０２は通常動作では使用せず、ＡＣ電源の入力を受けた電源装置１０３から電気の供給を受けてる。従って通常動作では負荷がかかっていない為、放電特性３０５に示すようにほとんど放電をすることはない。バッテリ１０２が使用可能な状態であるか判断する為には、一定の負荷をかけてその時の放電特性をみる必要がある。しかし、不特定の負荷を与えていては放電特性に違いが生じる為、正確な値を算出することは不可能である。そこで、一定の負荷をかけるプログラムを用いて放電特性を測定する。
【００２２】
また、そのまま放電をしていくとバッテリアラームとなってしまい、装置にエラー情報を残すことになる。まだ使用可能であってもエラーが残っていることで無用な交換となってしまう為、バッテリアラームより前に設定値を設けて、設定値を超えたところでＡＣ入力に自動で切り替えを行えるようにする。設定値については、バッテリの寿命が短くなっている場合、放電カーブが急峻となる為にすぐに設定値を超えてバッテリアラームとなってしまわないような設定値とする。なお、説明の都合上、図３では３つの放電特性３０６〜３０８を示しているが、バッテリの放電特性はこれに限定されるものではない。
【００２３】
放電時間の測定はバッテリ駆動に切り替えた時間から、設定値を超えＡＣ入力に切り替わった時間とする。また、放電特性３０５のようにバッテリ１０２が劣化しておらず設定値まで電圧が低下しない場合は、予め測定時間の上限を設定しておき設定した時間を経過した段階を測定時間とする。
【００２４】
次に図４に示す判断基準４０１について説明する。判定基準４０１は電圧特性のパターンを示すパターンと、バッテリ駆動開始からバッテリ１０２の電圧が設定値になるまでの時間である駆動時間Ｔ、バッテリの電圧低下を警告するアラーム電圧Ｖ、各パターンにおける各動作の寿命を示す各動作条件の寿命換算値から構成されている。
【００２５】
判定基準４０１とは、バッテリ電圧と放電時間の関係から算出される寿命の関係から数値化し、その数値より複数の状態のパラメータを設定する。そのパラメータ値と実際に測定した値とを照らし合わせて稼動部位の稼動可能時間に換算し、バッテリ１０２が稼動可能である時間を監視システム１０８へ通知を行う。またバッテリ１０２により電圧特性／放電特性に違いがある為、バッテリ選択を可能と出来るよう複数のバッテリについてパラメータを準備しておく。
【００２６】
図３で示したようにバッテリ１０２の放電時間の測定した後、図４に示すバッテリ駆動時間と電圧の変化の関係を判定基準４０１と照らし合わせて寿命を数値化し、設定しているパラメータより使用しているバッテリ１０２が現状で、稼動可能な動作寿命を算出し、監視システム１０９に通知するまたは係員操作部１０６に表示する。例えば、図３で示す放電特性３０７により計測された時間ｔ2が図４に示す判断基準４０１のパターン２の駆動時間Ｔ2と同じ値であった場合、制御部１０４は判定基準４０１に記載されている各動作条件(全動作補償、通帳／カード排出補償、制御部バックアップ)に対応するバッテリ１０２の寿命（３年、５年、７年）を取得し、監視システム１０８通知するまたは係員操作部１０６に表示する。
【００２７】
続いて、本実施例のバッテリ検知方式を搭載したＡＴＭ１０１を用いたチェックシステムについて図５のバッテリ制御フロー５０１、図６に示す稼動状況及び、図７の操作画面イメージを用いて説明する。なお本実施例は、２４時間運用をしているＡＴＭ１０１の場合の事例である。
【００２８】
まず、図５のバッテリー制御フロー５０１を説明する。始めに、搭載しているバッテリ１０２がどんなタイプのバッテリ（例えば、図４に示すバッテリタイプ１）なのかを予め選択する（Ｓ１０１）。次に、バッテリチェック行う日時(例えば日付、時間など)を設定するバッテリチェックプログラムを設定する（Ｓ１０２）。このとき設定する時間は、利用者が少ない時間帯を設定し、バッテリチェックは毎日行うとバッテリ寿命が短くなってしまう為、行う回数は月に１回程度とする。また、バッテリチェックの設定時間は、チェック開始時間を経過した時に取引を継続している可能性がある為、時間帯で設定できるようにするとよい。
【００２９】
次にＳ１０２にて設定したバッテリチェックの日時と時間を経過したら（Ｓ１０３）、まず始めに利用者６０１がいないことを近距離センサ１０９にてチェックを行う。図６に示すように利用者６０１がＡＴＭ１０１付近いる場合は、取引を行おうとしている、または取引が継続中であると判断してそのまま取引を継続する（Ｓ１０４：ＹＥＳ）。設定時間帯内で一定時間、近距離センサ１０９の未検知が続いた場合（Ｓ１０４：Ｎｏ）、再度利用者６０１がいないことを近距離センサ１０９で確認をし、バッテリチェックプログラムに移行する。利用者がいないと検知されたら、ＡＣ入力から自動でバッテリ駆動に切り替える（Ｓ１０５）。
【００３０】
バッテリ駆動に切り替え後、操作部１０５に表示されている画面を取扱画面７０１からバッテリチェック中画面７０２に切り替えて表示し（Ｓ１０６）、バッテリチェックを行う。このバッテリチェックでは上記する制御部１０４からの指示により一定の負荷をかけてバッテリ１０２を放電させる。バッテリの放電電圧が設定値に達すると（Ｓ１０７）、バッテリ駆動よりＡＣ入力に自動に切り替え（Ｓ１０８）、測定結果をログに残し測定を終了する。
【００３１】
また、バッテリチェックを行っている最中に近距離センサ１０９にて利用者６０１を検知をすると（Ｓ１１２：Ｙｅｓ）、操作部１０５に表示する画面を取引画面への移行中画面７０３を表示させ、バッテリ駆動からＡＣ入力に切り替える（Ｓ１１７）。そして取引が可能な状態となると操作部１０５に取引画面７０１を表示させ、取引が可能となる。
【００３２】
次にＡＣ入力からバッテリ駆動に切り替えてから放電電圧が設定値に達した時間までの値を、判定基準４０１と照らし合わせて判定する（Ｓ１０９）そしてＡＴＭ１０１の稼動可能な時間を判断し監視システム１０８ヘ通知する（Ｓ１１０）。監視システム１０８への通知後、操作部１０５に取引画面７０１を表示させ、継続して運用を行う（Ｓ１１１）。また、係員操作部１０６に残りの寿命時間７０４を表示し、定期点検時もしくは現金等の補充を行う時に確認できるようにする。すぐに交換が必要な場合は、警告を表示する。
【００３３】
測定途中に取引に切り替わった場合（Ｓ１１２）、その時点でのデータをログに残しておき、近距離センサ１０９の反応がなくなり、一定の時間経過したところで利用者６０１がいないこと近距離センサ１０９にて確認後（Ｓ１１２：Ｎｏ）、操作部１０５にバッテリチェック中画面７０２を表示し（Ｓ１１３）、寿命判定を実施し（Ｓ１１４）、監視システム１０８へ通知を行う（Ｓ１１５）。監視システム１０８に通知後、操作部１０５に取扱画面７０１を表示し（Ｓ１１６）、継続して運用とする。
【００３４】
本実施例に示す構成としたことで、利用者６０１がＡＴＭ１０１を利用していないタイミングでバッテリ１０２の寿命を検知することができ、取引の空き時間を無駄なく利用する事ができる。また、バッテリ１０２の寿命を係員操作部１０６に表示しすることで、バッテリ交換の時期を適切なタイミングで行うことができ、バッテリ交換ができない場合であっても対象となる装置を縮退することでＡＴＭ１０１としては装置を停止させずに取り引きを継続することができる。例えば、取引中に停電が発生した場合に、バッテリ容量によって、様々なパターンの継続処理を行うことができる。また、今までバッテリ１０２は定期交換となっており、寿命となっていないバッテリ１０２についても一律交換することとなっていたが、稼動条件毎の残寿命を提示することで、無用な交換をする必要がなくなる。
Ｂ：変形例１
次に近距離センサ６０２と合わせてと画面上に取扱切り替えボタンを配備した変形例１について図６の取引状況、図７の画面イメージ図及び図８のバッテリ制御フロー８０１を用いて説明する。
【００３５】
実施例１で説明した近距離センサ１０７は、まっすぐＡＴＭ１０１に接近してくる利用者６０１は検知が出来るが、ＡＴＭ１０１の横から接近する利用者６０１を検知することが出来ない。その為に、バッテリチェック中画面７０２に取引画面切替ボタンを準備し、ボタンを押下することで、バッテリチェックから取引画面に切り替えを行う。その場合の方式について以下に説明を行う。なお、実施例１と同様の動作をする箇所については説明を省略する。
【００３６】
図８に示すＳ２０１〜Ｓ２１１については、実施例１と同様の動作をするため、説明を省略する。バッテリチェックを行っている最中に利用者６０１がＡＴＭ１０１に接近したが、バッテリチェック中画面７０２から切り替わらない場合（Ｓ２１２）、利用者はバッテリチェック中画面７０２に表示されている取引画面切替ボタンを押下する（Ｓ２１２：Ｙｅｓ）。操作部１０５に取引画面への移行中画面７０３を表示させ、バッテリ駆動からＡＣ入力に切り替え（Ｓ２１８）、取引可能な状態となった所で、取引画面７０１を表示させ（Ｓ２１９）、取引できるようにする。
【００３７】
また、利用者はバッテリチェック中画面７０２に表示されている取引画面切替ボタンを押下しない場合（Ｓ２１２：Ｎｏ）、バッテリチェックを継続し（Ｓ２１３）、バッテリの寿命チェックを行う。Ｓ２１３〜Ｓ２１７は実施例１と同様の動作をするため説明を省略する。
【００３８】
変形例１ではバッテリチェック動作を行っている際に、利用者がバッテリチェックを中止させ取引を開始させるボタンを設けることで利用者にそのＡＴＭ１０１で取引をするか否かの選択をさせることができる。つまり、ＡＴＭ１０１が複数代あるような場所において、バッテリチェックを中断させず利用者に別のＡＴＭ１０１を使用させることを促すことが可能となり、利便性が上がる。
Ｃ：変形例２
実施例１および変形例１は２４時間運用の場合の実施例であったが、ＡＴＭ１０１では２４時間運用をしない運用もある。その場合は利用者が少ない時間がなく、バッテリチェックを行うことが出来ない場合もある。従って本変形例では、２４時間運用をしないＡＴＭ１０１について図７の画面イメージ及び図９のバッテリ制御フロー９０１を用いて、２４時間運用しない場合のバッテリチェックについて説明する。なお、装置構成は実施例１と変わらない為、説明を省略する。
【００３９】
２４時間運用しない店舗では、営業終了時間を経過した後、装置の電源を落とす（社とダウンする）運用となる。前述の通り、放電特性を測定する為には、一定の負荷が必要になる。通常、ＡＴＭ１０１のシャットダウン処理は毎回同じ処理を行う為、負荷は一定となる。そこで、本変形例の方式では、シャットダウン時にＡＣ入力からバッテリ駆動に切り替え、シャットダウン処理の負荷を利用し、バッテリ１０２の放電時間を測定し、判定基準４０１より稼動部位の寿命を判断する方式である。
【００４０】
図９を用いて本変形例の制御方式について説明する。まず、ＡＴＭ１０１に搭載しているバッテリの種別（タイプ）を設定する（Ｓ３０１）。次にバッテリチェックを行う日時を設定する（Ｓ３０２）。バッテリチェックを実行すると設定された日となり、ＡＴＭ１０１の電源を落すシャットダウン処理が開始されると（Ｓ３０３）、ＡＴＭ１０１の電源をＡＣ入力からバッテリ駆動に切り替える切り替え動作を行い（Ｓ３０４）、バッテリの放電特性のチェックを行うバッテリチェックを実行する（Ｓ３０５）。バッテリ電圧が設定値を経過した時に、ＡＣ入力に切り替え、測定結果をログに保存し（Ｓ３０６）、シャットダウン処理を終了させる（Ｓ３０７）。なお測定時間は、ＡＣ入力からバッテリ駆動に切り替えた時から、バッテリ電圧が設定値に到達したまでの時間とするが、バッテリに切り替えた時から任意のタイミングで測定を開始してもよい。
【００４１】
次の日にＡＴＭ１０１を立ち上げた時に（Ｓ３０８）、制御部１０４に保存してあるログを呼び出し（Ｓ３０９）、判定基準４０１と照らし合わせて判定を行い（Ｓ３１０）、稼動部位の寿命を監視システム１０８に通知する。また、係員操作部１０６に寿命表示７０４を表示させ、定期点検及び現金の補充を行う時に状態が分かるようにする。すぐに交換が必要な場合は、警告表示を行う。
【００４２】
変形例２に示す構成とすることで、ＡＴＭ１０１の使用環境が違う条件においてもバッテリチェックを実施することでバッテリを適切なタイミングで交換をすることができるＡＴＭ１０１を提供することができる。
【００４３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４４】
例えば、変形例２はバッテリチェックを行うための負荷としてシャットダウン処理の負荷を用いて説明をしたが、シャットダウン処理に限らず、紙幣の係数処理や装填回収処理を実行する際の負荷を用いてもよい。
【符号の説明】
【００４５】
１０１：自動現金取扱装置（ＡＴＭ）、１０２：バッテリ、１０３：電源装置、１０４：制御部、１０５：操作部サーバー、１０６：係員操作部、１０７：サーバー、１０８：監視システム、１０９：近距離センサ、２０１：通帳機構部、２０２：カード/明細票機構部、２０３：硬貨入出金機構部、２０４：紙幣入出金機構部、３０１：バッテリ検出のタイムチャート、３０２：イベント、３０３：シャットダウンチャート、３０４：バッテリ電圧、３０５〜３０８：放電特性、４０１：判定基準、５０１：バッテリ制御フロー、６０１：利用者、７０１：取扱画面イメージ、７０２：バッテリチェック中画面イメージ、７０３：取引画面へ移行画面イメージ、７０４：寿命表示画面イメージ、８０１：バッテリ制御フロー、９０１：バッテリ制御フロー
【図１】
2014164365.tif 000003
【図２】
2014164365.tif 000004
【図３】
2014164365.tif 000005
【図４】
2014164365.tif 000006
【図５】
2014164365.tif 000007
【図６】
2014164365.tif 000008
【図７】
2014164365.tif 000009
【図８】
2014164365.tif 000010
【図９】
2014164365.tif 000011